(57)【要約】【課題】  所望の形状の構造物を比較的簡単な作業で得ることが可能な建築物と建築方法を提供すること。【解決手段】  所定の断面形状を有するとともに所定長さに延長・形成された複数個の建築用枠材と、上記複数個の建築用枠材に通されることにより該複数個の建築用枠材を連結・固定して任意形状の壁・屋根体を構築する紐体と、を具備したことを特徴とするものであり、それによって、比較的簡単な作業で所望形状の構造物を得ることができる。【選択図】  図１
2007120207.tif 000002
【特許請求の範囲】
【請求項１】
所定の断面形状を有するとともに所定長さに延長・形成された複数個の建築用枠材と、
上記複数個の建築用枠材に通されることにより該複数個の建築用枠材を連結・固定して任意形状の壁・屋根体を構築する紐体と、
を具備したことを特徴とする建築物。
【請求項２】
請求項１記載の建築物において、
上記建築用枠材は所定の曲率にて湾曲・形成されていて、これら複数個の建築用枠材に上記紐体を通しながら連結・固定していくことにより湾曲した所定の形状の壁・屋根体を構築するようにしたことを特徴とする建築物。
【請求項３】
請求項２記載の建築物において、
湾曲度が異なる複数種類の建築用枠材があり、適宜異なる湾極度の建築用枠材を使用することにより壁・屋根体の湾曲仕様を適宜変化させることを特徴とする建築物。
【請求項４】
請求項１〜請求項３の何れかに記載の建築物において、
上記紐体は上記建築用枠材の長手方向に沿って所定ピッチで複数本設けられていることを特徴とする建築物。
【請求項５】
請求項１〜請求項４の建築物において、
上記建築用枠材の一連結側には係合凸部が設けられているとともに他連結側には係合凹部が設けられていて、隣接・配置された一方の建築用枠材の係合凸部を他方の建築用枠材の係合凹部に係合させた状態で上記紐体を通すようにしたことを特徴とする建築物。
【請求項６】
請求項５記載の建築物において、
上記係合凸部は先細テーパ形状に形成されていて、上記係合凹部は開口縁部がテーパ状に拡開されていることを特徴とする建築物。
【請求項７】
請求項５記載の建築物において、
上記係合凸部と上記係合凹部との間にはシール部材が介挿されることを特徴とする建築物。
【請求項８】
所定の断面形状を有するとともに所定長さに延長・形成された複数個の建築用枠材に紐体を通していき、それによって、上記複数個の建築用枠材を  連結・固定して任意形状の壁・屋根体を構築するようにしたことを特徴とする建築方法。
【請求項９】
請求項８記載の建築方法において、
上記建築用枠材は所定の曲率にて湾曲・形成されていて、これら複数個の建築用枠材に上記紐体を通しながら連結・固定していくことにより湾曲した所定の形状の壁・屋根体を構築するようにしたことを特徴とする建築方法。
【請求項１０】
請求項８記載の建築方法において、
湾曲度が異なる複数種類の建築用枠材があり、適宜異なる湾極度の建築用枠材を使用することにより壁・屋根体の湾曲仕様を適宜変化させることを特徴とする建築方法。
【請求項１１】
請求項８記載の建築方法において、
湾曲した建築用枠材を内外逆向きにすることにより反転させながら任意の湾曲仕様の壁・屋根体を構築するようにしたことを特徴とする建築方法。
【発明の詳細な説明】
【技術分野】
【０００１】
本発明は、建築物と建築方法に係り、特に、複数個の建築用枠材に紐体を通すことによりそれらを連結・固定していき、それによって、任意形状の壁・屋根体を構築するようにしたものに関し、簡単な方法で所望の形状の構造物を容易に得ることができるように工夫したものに関する。
【背景技術】
【０００２】
例えば、各種のショールームや展示場等としては比較的簡易な構造物が使用されている。例えば、各種鋼材と板材等によって組み立てられるもの、或いは、テント等である。
【発明の開示】
【発明が解決しようとする課題】
【０００３】
上記従来の構成によると次のような問題があった。
まず、各種鋼材と板材等によって組み立てられるものであるが、これらは比較的簡易であるとはいえ、骨組みの構築や壁材、屋根材の取付作業に多くの労力と長い作業時間を要してしまうという問題があった。又、構造物の形状としても比較的単純なものに限定されてしまい、例えば、湾曲部を含んだ斬新な形状の構造物を得ることは困難であった。
仮に、そのような斬新な形状の構造物が得られたとしても、そのための作業労力と作業時間は膨大なものとなってしまう。
一方、テントの場合には上記各種鋼材と板材等によって組み立てられるものに比べると作業時間と作業労力は軽減されることになるが、ショールームや展示常用の構造物としては簡易過ぎるという欠点があった。又、この場合においても、湾曲部を含んだ斬新な形状の構造物を得ることは決して容易なことではなかった。
【０００４】
尚、本願発明と直接関連するものではないが、先行技術として、例えば、特許文献１、特許文献２、特許文献３等がある。
【０００５】
【特許文献１】特開２００２−２０１７１０号公報
【特許文献２】特開平１０−１６９００７号公報
【特許文献３】特表２００３−５２２８６０号公報
【０００６】
本発明はこのような点に基づいてなされたものでその目的とするところは、所望の形状の構造物を比較的簡単な作業で得ることが可能な建築物と建築方法を提供することにある。
【課題を解決するための手段】
【０００７】
上記目的を達成するべく本願発明の請求項１による建築物は、所定の断面形状を有するとともに所定長さに延長・形成された複数個の建築用枠材と、上記複数個の建築用枠材に通されることにより該複数個の建築用枠材を連結・固定して任意形状の壁・屋根体を構築する紐体と、を具備したことを特徴とするものである。
又、請求項２による建築物は、請求項１記載の建築物において、上記建築用枠材は所定の曲率にて湾曲・形成されていて、これら複数個の建築用枠材に上記紐体を通しながら連結・固定していくことにより湾曲した所定の形状の壁・屋根体を構築するようにしたことを特徴とするものである。
又、請求項３による建築物は、請求項２記載の建築物において、湾曲度が異なる複数種類の建築用枠材があり、適宜異なる湾極度の建築用枠材を使用することにより壁・屋根体の湾曲仕様を適宜変化させることを特徴とするものである。
又、請求項４による建築物は、請求項１〜請求項３の何れかに記載の建築物において、上記紐体は上記建築用枠材の長手方向に沿って所定ピッチで複数本設けられていることを特徴とするものである。
又、請求項５による建築物は、請求項１〜請求項４の建築物において、上記建築用枠材の一連結側には係合凸部が設けられているとともに他連結側には係合凹部が設けられていて、隣接・配置された一方の建築用枠材の係合凸部を他方の建築用枠材の係合凹部に係合させた状態で上記紐体を通すようにしたことを特徴とするものである。
又、請求項６による建築物は、請求項５記載の建築物において、上記係合凸部は先細テーパ形状に形成されていて、上記係合凹部は開口縁部がテーパ状に拡開されていることを特徴とするものである。
又、請求項７による建築物は、請求項５記載の建築物において、上記係合凸部と上記係合凹部との間にはシール部材が介挿されることを特徴とするものである。
又、請求項８による建築方法は、所定の断面形状を有するとともに所定長さに延長・形成された複数個の建築用枠材に紐体を通していき、それによって、上記複数個の建築用枠材を連結・固定して任意形状の壁・屋根体を構築するようにしたことを特徴とするものである。
又、請求項９による建築方法は、請求項８記載の建築方法において、上記建築用枠材は所定の曲率にて湾曲・形成されていて、これら複数個の建築用枠材に上記紐体を通しながら連結・固定していくことにより湾曲した所定の形状の壁・屋根体を構築するようにしたことを特徴とするものである。
又、請求項１０による建築方法は、請求項８記載の建築方法において、湾曲度が異なる複数種類の建築用枠材があり、適宜異なる湾曲度の建築用枠材を使用することにより壁・屋根体の湾曲仕様を適宜変化させることを特徴とするものである。
又、請求項１１による建築方法は、請求項８記載の建築方法において、湾曲した建築用枠材を内外逆向きにすることにより反転させながら任意の湾曲仕様の壁・屋根体を構築するようにしたことを特徴とするものである。
【発明の効果】
【０００８】
以上述べたように本願発明による建築物によると、所定の断面形状を有するとともに所定長さに延長・形成された複数個の建築用枠材と、上記複数個の建築用枠材に通されることにより該複数個の建築用枠材を連結・固定して任意形状の壁・屋根体を構築する紐体と、を具備した構成になっているので、比較的簡単な作業で所望形状の構造物を得ることができる。
又、上記建築用枠材を所定の曲率にて湾曲・形成させて、これら複数個の建築用枠材に上記紐体を通しながら連結・固定していくように構成した場合には、湾曲した所定の形状の壁・屋根体を簡単な作業で構築することができる。
又、湾曲度が異なる複数種類の建築用枠材があり、適宜異なる湾極度の建築用枠材を使用するようにした場合には、比較的簡単な作業で壁・屋根体の湾曲仕様を適宜変化させることが可能になる。
又、上記紐体を上記建築用枠材の長手方向に沿って所定ピッチで複数本設けた場合には、より強固な構造物を提供することができる。
又、上記建築用枠材の一連結側に係合凸部を設けるとともに他連結側に係合凹部を設けて、隣接・配置された一方の建築用枠材の係合凸部を他方の建築用枠材の係合凹部に係合させた状態で上記紐体を通すようにした場合には、作業性が向上するとともにより強固な構造物を得ることができる。
又、上記係合凸部を先細テーパ形状に形成して、上記係合凹部の開口縁部をテーパ状に拡開して形成した場合には、それによって、係合凸分の係合凹部への係合作業がやり易くなるので、さらに作業性の向上を図ることができるとともに、僅かな寸法誤差を吸収することができるので加工が容易になる。
又、上記係合凸部と上記係合凹部との間にシール部材を介挿した場合には所望のシール性能を得ることができる。
又、請求項８〜請求項１１は建築方法としてクレームしたものであり、作業性と作業効率の向上を効果的に図ることができるものである。
【発明を実施するための最良の形態】
【０００９】
以下、図１乃至図１０を参照して本発明の一実施の形態を説明する。図１は本実施の形態による建築物としてのショールーム用のコンテナの全体の構成を示す側面図であり、図２はコンテナの全体の構成を示す正面図である。
まず、複数個のコンテナフレーム（建築用枠材）１があり、これら複数個のコンテナフレーム１に複数本のワイヤ３を通すことによってそれらを連結・固定して、所定形状の壁・屋根体５を構築しているものである。
【００１０】
上記コンテナフレーム１は、図９及び図１０に示すような形状になっている。まず、外側壁７と内側壁９とがあり、これら外側壁７と内側壁９を連結するように、側壁１１、側壁１３がある。又、上記外側壁７
、内側壁９、側壁１、１３によって囲まれた内側には補強壁１５、１７、１９、２１、２３が設けられている。
【００１１】
上記外側壁７と内側壁９は所定の曲率を持って湾曲・形成されていて、図９、図１０（ａ）において上側に凸の状態に形成されている。上記曲率としては複数種類のものが予め用意されている。この実施の形態の場合には３種類である。具体的には、（外側壁の曲率Ｒ：１１００ｍｍ、内側壁の曲率Ｒ：１０３０ｍｍ）、（外側壁の曲率Ｒ：１７００ｍｍ、内側壁の曲率Ｒ：１６３０ｍｍ）、（外側壁の曲率Ｒ：２０００ｍｍ、内側壁の曲率Ｒ：１９３０ｍｍ）の３種類である。
【００１２】
上記したようにコンテナフレーム１は湾曲・形成されており、そのような湾曲・形成されているコンテナフレーム１を連結・固定していくことにより、図１に示すように、所定の形状に湾曲した壁・屋根体５を構築していくものである。
尚、図９、図１０は上記３種類の曲率のコンテナフレーム１の一つを示すものであり、基本的な形状は同じであって曲率が変化するだけである。
【００１３】
上記コンテナフレーム１の側壁１１側であって内径側と外径側には係合凹部２５、２５が夫々形成されている。又、図１０（ｂ）に拡大して示すように、上記係合凹部２５の開口縁部２５ａはテーパ状に拡開されている。一方、コンテナフレーム１の側壁１３の内径側と外径側には係合凸部２７、２７が形成されている。これら係合凸部２７は先細テーパ状に形成されている。又、外径側に位置する係合凸部２７の先端面には、図１０（ｄ）に拡大して示すように、突起２９が形成されている。この突起２９はその個数が１個、２個、３個の３種類があり、それによって、既に述べた３種類の曲率のコンテナフレーム１を区別するように構成されている。
【００１４】
上記側壁１１、１３の中心位置には、図１０（ｃ）に拡大して示すように、Ｖ溝３１、３３が夫々形成されている。これらＶ溝の位置であって長手方向の所定の位置には、前述したようにワイヤ３が通されることになり、その為、所定の位置には貫通穴３５、３７（図中仮想線で示す）が穿孔されることになる。
【００１５】
上記コンテナフレーム１の材質としては様々なものが想定されるが、本実施の形態においては、アルミニウム材を使用している。    
【００１６】
上記ワイヤ３は、図２に示すように、長手方向に沿って所定のピッチで複数本使用されるものである。又、ワイヤ３の両端部においては図３、図４に示すような固定処理が行なわれる。すなわち、最終端のコンテナフレーム１の次には鋼製の端部材４１、４３が設置される。これら端部材４１、４３にも貫通穴が穿孔され、そこにワイヤ３を通すものである。又、上記端部材４１、４３の外側にはグリップ部材４５が通される。このグリップ部材４５は内部にテーパ状の締め部を備えていて、ワイヤ３を引っ張ることによりその引っ張った位置が上記締め部によって固定されるように構成されている。よって、ワイヤ３を所定の力で引っ張ることによりその位置が固定され、それによって、複数個のコンテナフレーム１が強固に連結・固定されることになる。上記端部材４１、４３、グリップ部材４１の構成は、図３、図４に示すように、ワイヤ３の両端において同様の構成になっている。
上記テーパ状の締め部としては、例えば、複数の弾性片を円錐状に配置させた構成が考えられる。この場合大径側から小径側にワイヤ３を通し、該ワイヤ３を引っ張ると上記複数の弾性片よりなる円錐状部を僅かに拡開させながらワイヤ３が通っていくことになる。そして、その引っ張った位置は複数の弾性片よりなる円錐状部が弾性力によって縮径することにより固定されることになる。
尚、その他様々な構成が想定されるものである。
【００１７】
又、上記コンテナフレーム１を連結・固定するに際しては、図１０（ａ）に示すように、係合凹部２５内にシール部材４７を内装させるものである。つまり、隣接する別のコンテナフレーム１の係合凸部２７、２７が係合凹部２５、２５内にシール部材４７、４７を介して係合されることになる。それによって、必要なシール機能を発揮させるようにしているものである。  
【００１８】
次に、上記コンテナフレーム１を連結・固定することによって湾曲した壁・屋根体５を構築するに際して、湾曲度を途中で変える場合には異なる曲率のコンテナフレーム１を連結・固定することにより行なう。又、湾曲を反転させたい場合には、コンテナフレーム１を逆向きにする。つまり、外側壁７を内側に配置させるとともに内側壁９を外側に配置させるものである。
【００１９】
次に、床側の構成を説明する。まず、コンクリート製基礎部５１が設置されていて、このコンクリート製基礎部５１は複数個のコンクリート製ブロック５３を敷き詰めることにより構成されている。上記コンクリート製基礎部５１の上にはコンクリート製平板５５が設置されている。又、このコンクリート製平板５５の上には天然ゴム製平板５７が設置されている。そして、上記天然ゴム製平板５７上には床構造物５９が設置されている。
【００２０】
上記床構造物５９は次のような構成になっている。すなわち、図１に示すように、両側にチャンネル部材より構成された脚部６１、６１が設置されていて、これら脚部６１、６１の間には複数個のアルミニウム製鋼材を連結して構成された床部６３が設けられている。又、上記床部６３の下面側であって既に説明したコンクリート製基礎部の外側にはアングル部材からなるストッパ部６５、６５が設けられている。これらストッパ部６５、６５がコンクリート製基礎部５１に当接することにより、例えば、地震発生時の振動を抑制するものである。
尚、既に説明した端部材４１、４３は連結部材６７を介して上記脚部６１に固定されている。
【００２１】
以上の構成を基にその作用を説明する。図１を参照しながらその構築手順を説明する。図１中左側からみていく。まず、地点Ａから地点Ｂまでは（外側壁の曲率Ｒ：１７００ｍｍ、内側壁の曲率Ｒ：１６３０ｍｍ）のコンテナフレーム１が順次積層・配置されていて、複数本のワイヤ３に通されている。次に、地点Ｂから地点Ｃまでは（外側壁の曲率Ｒ：２０００ｍｍ、内側壁の曲率Ｒ：１９３０ｍｍ）のコンテナフレーム１が順次積層・配置されていて、複数本のワイヤ３に通されている。次に、地点Ｃから地点Ｄまでは（外側壁の曲率Ｒ：１１００ｍｍ、内側壁の曲率Ｒ：１０３０ｍｍ）のコンテナフレーム１が順次積層・配置されていて、複数本のワイヤ３に通されている。
【００２２】
次に、地点Ｄを境に凹凸が反転していて地点Ｅに至っている。次に、地点Ｅを境にして再度凹凸が反転していて地点Ｆに至っている。又、地点Ｆまでは、（外側壁の曲率Ｒ：１１００ｍｍ、内側壁の曲率Ｒ：１０３０ｍｍ）のコンテナフレーム１が順次積層・配置されていて、複数本のワイヤ３に通されている。そして、地点Ｆから地点Ｇの範囲では（外側壁の曲率Ｒ：２０００ｍｍ、内側壁の曲率Ｒ：１９３０ｍｍ）のコンテナフレーム１が順次積層・配置されていて、複数本のワイヤ３に通されさている。
【００２３】
そして、全てのコンテナフレーム１に複数本のワイヤ３を通して、両端においてグリップ部材４５、４５を使用して締め付ける。それによって、複数本のコンテナフレーム１を強固に連結・固定することになる。又、床側については予め或いは同時に組み立てていくものである。
【００２４】
以上の作業によって図１、図２に示すようなコンテナを構築することができる。この場合、コンテナの長手方向の両端は開放させた状態となるが、必要に応じて壁を設けてもよい。例えば、テントのような布地の壁体を設け、そこに開閉扉を取り付ける構成が考えられる。
【００２５】
以上本実施の形態によると次のような効果を奏することができる。
まず、比較的簡単な作業で所望の形状のコンテナを得ることができる。これは、複数本のコンテナフレーム１にワイヤ３を通して連結・固定するという簡単な構成を採用しているからである。特に、コンテナフレーム１は任意の曲率にて湾曲・形成されているので、任意に湾曲した形状のコンテナを容易に得ることができる。
又、固定する場合にもグリップ部材４５を使用してワイヤ３の端を引っ張るだけであり簡単である。
又、コンテナフレーム１同士を連結させる場合には、一方のコンテナフレーム１の係合凸部２７、２７を隣接する他方のコンテナフレーム１の係合凹部２５、２５内に係合させる構成になっているので、コンテナフレーム１が不用意に外れてしまうようなことはない。
又、係合凸部２７は先細テーパ形状になっていて、又、係合凹部２５には拡開された開口縁部２５ａが設けられているので、係合凸部２７を係合凹部２５内に係合させる作業も簡単であるとともに僅かな寸法誤差等は吸収されることになる。
又、係合凸部２７と係合凹部２５の間にはシール部材４７が介在しているのでシール性能も高いものである。
又、床部６３にはストッパ部６５が設けられているので、地震発生時における振動を抑制することができる。
【００２６】
尚、本発明は前記一実施の形態に限定されるものではない。
まず、コンテナの壁・屋根体５の形状は図示したものに限定されず様々な形状が考えられる。
又、湾曲していないコンテナフレームを使用して真っ直ぐな構造部或いは構造物を構築することも考えられる。
又、片側半分を湾曲させるとともに残りの片側半分を真っ直ぐとしたコンテナフレームも考えられる。具体的には、図１０（ａ）において、外側壁７と内側壁９の左半分が湾曲していて、右側半分が真っ直ぐな形状である。このようなコンテナフレームを適宜使用して一部は真っ直ぐな構造であって、一部は湾曲した構造物を連続的に構築することが可能になる。
又、前記一実施の形態の場合にはコンテナフレーム等の材質をアルミニウム製としたがそれ以外の材質も考えられる。
【産業上の利用可能性】
【００２７】
本発明は、建築物と建築方法に係り、特に、複数個の建築用枠材に紐体を通すことによりそれらを連結・固定していき、それによって、壁・屋根体を構築するようにしたものに関し、簡単な方法で所望の形状の構造物を容易に得ることができるように工夫したものに関し、例えば、各種のショールームに好適である。
【図面の簡単な説明】
【００２８】
【図１】本発明の一実施の形態を示す図で、コンテナの全体の構成を示す側面図である。
【図２】本発明の一実施の形態を示す図で、コンテナの全体の構成を示す正面図である。
【図３】本発明の一実施の形態を示す図で、図１のＩＩＩ部を拡大して示す図である。
【図４】本発明の一実施の形態を示す図で、図１のＩＶ部を拡大して示す図である。
【図５】本発明の一実施の形態を示す図で、図１のＶ−Ｖ矢視図である。
【図６】本発明の一実施の形態を示す図で、図５のＶＩ−ＶＩ矢視図である。
【図７】本発明の一実施の形態を示す図で、コンクリート製基礎部の平面図である。
【図８】本発明の一実施の形態を示す図で、図１のＶＩＩＩ−ＶＩＩＩ断面図である。
【図９】本発明の一実施の形態を示す図で、建築用枠材の構成を示す斜視図である。
【図１０】本発明の一実施の形態を示す図で、図１０（ａ）は建築用枠材の端面形状を示す側面図、図１０（ｂ）は図１０（ａ）のｂ部を拡大して示す図、図１０（ｃ）は図１０（ａ）のｃ部を拡大して示す図、図１０（ｄ）は図１０（ａ）のｄ部を拡大して示す図である。
【符号の説明】
【００２９】
１  コンテナフレーム（建築用枠材）
３  ワイヤ（紐体）
２５  係合凹部
２７  係合凸部
【図１】
2007120207.tif 000003
【図２】
2007120207.tif 000004
【図３】
2007120207.tif 000005
【図４】
2007120207.tif 000006
【図５】
2007120207.tif 000007
【図６】
2007120207.tif 000008
【図７】
2007120207.tif 000009
【図８】
2007120207.tif 000010
【図９】
2007120207.tif 000011
【図１０】
2007120207.tif 000012